【手続補正書】
【提出日】平成22年3月30日(2010.3.30)
【手続補正１】
【補正対象書類名】特許請求の範囲
【補正対象項目名】全文
【補正方法】変更
【補正の内容】
【特許請求の範囲】
【請求項１】
生体組織に電流を生成するための器具であって、
組織領域にわたって電場を生成することが可能な電源と、
前記電場に対する前記組織の誘電率を変化させるための手段であって、それによって、前記電場に対する前記組織の誘電率の前記変化は、前記組織内に変位電流を生成する、手段と、
を備える、器具。
【請求項２】
誘電率を変化させるための前記手段は、化学源、光源、機械源、熱源、または電磁波源から選択される、請求項１に記載の器具。
【請求項３】
組織の小領域に集中される機械場を生成する超音波装置であって、それによって、前記電場と前記機械場との複合効果が、前記組織領域内に新しく生成された変位電流で、変化した電流を生成する、超音波装置をさらに備える、請求項１に記載の器具。
【請求項４】
誘電率を変化させるための前記手段は、機械であり、超音波源である、請求項１〜３に記載の器具。
【請求項５】
前記電場は、パルス状である、請求項１〜３に記載の器具。
【請求項６】
前記電場は、時間的に変化する、請求項１〜３に記載の器具。
【請求項７】
前記電場は、時間的に変わらない、請求項１〜３に記載の器具。
【請求項８】
誘電率を変化させるための前記手段は、パルス信号である、請求項１〜３に記載の器具。
【請求項９】
誘電率を変化させるための前記手段は、時変信号である、請求項１〜３に記載の器具。
【請求項１０】
誘電率を変化させるための前記手段は、時間的に変化するパルスシーケンスから成る信号である、請求項１〜３に記載の器具。
【請求項１１】
組織に印加されるように構成される、少なくとも１つの電極をさらに備える、請求項１〜３に記載の器具。
【請求項１２】
前記電源は、前記組織内に埋め込まれる、請求項１〜３に記載の器具。
【請求項１３】
誘電率を変化させるための前記手段は、前記組織内に埋め込まれる、請求項１〜３に記載の器具。
【請求項１４】
前記電源は、外部電源から生成される、時間的に変化する誘導磁場である、請求項１〜３に記載の器具。
【請求項１５】
治療目的で、前記電場は、神経組織の広範な領域に広く印加され、前記手段は、神経組織の特定の領域に集中される、請求項１〜３に記載の器具。
【手続補正２】
【補正対象書類名】明細書
【補正対象項目名】００２１
【補正方法】変更
【補正の内容】
【００２１】
生体組織を刺激するための方法も提供する。方法は、生体組織に電源を印加するステップと、電場に対する組織の誘電率を変化させるための手段を印加することによって、電源に対する組織の誘電率を変化させるステップとを含む。電場に対する組織の誘電率の変化は、組織内に変位電流を生成する。誘電率を変化させるための手段は、化学源、光源、機械源、熱源、または電磁波源を含む様々な電源であり得る。例えば、組織を機械で変化させるために、超音波源等の機械源を印加し得る。組織は、神経組織、内分泌組織、電気的受容組織、筋肉組織、結合組織、または骨格組織であり得る。さらなる実施形態では、器具は、電場に対する組織の伝導率を変化させるための手段であって、それによって、オーム電流が変化する手段をさらに含む。
本発明はまた、以下の項目を提供する。
（項目１）
生体組織に電流を生成するための器具であって、
組織領域にわたって電場を生成することが可能な電源と、
上記電場に対する上記組織の誘電率を変化させるための手段であって、それによって、上記電場に対する上記組織の誘電率の上記変化は、上記組織内に変位電流を生成する、手段と、
を備える、器具。
（項目２）
誘電率を変化させるための上記手段は、化学源、光源、機械源、熱源、または電磁波源から選択される、項目１に記載の器具。
（項目３）
誘電率を変化させるための上記手段は、機械であり、超音波源である、項目１に記載の器具。
（項目４）
上記電場は、パルス状である、項目１に記載の器具。
（項目５）
上記電場は、時間的に変化する、項目１に記載の器具。
（項目６）
上記電場は、時間的に変化するパルスシーケンスである、項目１に記載の器具。
（項目７）
上記電場は、時間的に変わらない、項目１に記載の器具。
（項目８）
誘電率を変化させるための上記手段は、パルス信号である、項目１に記載の器具。
（項目９）
誘電率を変化させるための上記手段は、時変信号である、項目１に記載の器具。
（項目１０）
誘電率を変化させるための上記手段は、時間的に変化するパルスシーケンスから成る信号である、項目１に記載の器具。
（項目１１）
上記組織は、神経組織である、項目１に記載の器具。
（項目１２）
組織に印加されるように構成される、少なくとも１つの電極をさらに備える、項目１に記載の器具。
（項目１３）
上記組織に隣接した、または上記組織外部の組織に印加されるように構成される、少なくとも１つの電極をさらに備える、項目１に記載の器具。
（項目１４）
上記電源は、上記組織内に埋め込まれる、項目１に記載の器具。
（項目１５）
上記電源は、上記組織に隣接した、上記組織外部の、または上記組織内部の組織に埋め込まれる、項目１に記載の器具。
（項目１６）
誘電率を変化させるための上記手段は、上記組織内に埋め込まれる、項目１に記載の器具。
（項目１７）
誘電率を変化させるための上記手段は、上記組織に隣接した、上記組織外部の、または上記組織内部の組織に埋め込まれる、項目１に記載の器具。
（項目１８）
上記電源は、非侵襲的に印加される、項目１に記載の器具。
（項目１９）
誘電率を変化させるための上記手段は、非侵襲的に印加される、項目１に記載の器具。
（項目２０）
上記電源は、外部電源から生成される、時間的に変化する誘導磁場である、項目１に記載の器具。
（項目２１）
治療目的で、上記電場は、神経組織の広範な領域に広く印加され、上記手段は、神経組織の特定の領域に集中される、項目１に記載の器具。
（項目２２）
治療目的で、上記電場は、神経組織の広範な領域に広く印加され、上記手段は、神経組織の広範な領域に広く印加される、項目１に記載の器具。
（項目２３）
治療目的で、上記電場と上記手段とは、神経組織の特定の領域に集中される、項目１に記載の器具。
（項目２４）
治療目的で、上記電場は、神経組織の特定の領域に集中され、上記手段は、神経組織の広範な領域に広く印加される、項目１に記載の器具。
（項目２５）
上記電場は、約ＤＣから１００，０００，０００Ｈｚの範囲内の、周波数成分または複数成分を有する、項目１に記載の器具。
（項目２６）
多発性硬化症、筋萎縮性側索硬化症、アルツハイマー病、失調、チック、脊髄損傷、外傷性脳損傷、薬物渇望、食品渇望、アルコール渇望、ニコチン渇望、吃音、耳鳴、痙性、パーキンソン病、パーキンソニズム、強迫観念、うつ病、精神分裂病、双極性障害、急性躁病、緊張病、心的外傷後ストレス障害、自閉症、慢性疼痛症候群、幻肢痛、てんかん、発作、聴覚性幻覚、運動障害、神経変性障害、疼痛性障害、代謝性障害、嗜癖障害、精神障害、外傷性神経損傷、および感覚障害から選択される病気の治療に役立つために、上記電場は、広範に印加され、そして誘電率を変化させるための上記手段は集中され、神経組織に印加され得る、項目１に記載の器具。
（項目２７）
多発性硬化症、筋萎縮性側索硬化症、アルツハイマー病、失調、チック、脊髄損傷、外傷性脳損傷、薬物渇望、食品渇望、アルコール渇望、ニコチン渇望、吃音、耳鳴、痙性、パーキンソン病、パーキンソニズム、強迫観念、うつ病、精神分裂病、双極性障害、急性躁病、緊張病、心的外傷後ストレス障害、自閉症、慢性疼痛症候群、幻肢痛、てんかん、発作、聴覚性幻覚、運動障害、神経変性障害、疼痛性障害、代謝性障害、嗜癖障害、精神障害、外傷性神経損傷、および感覚障害から選択される病気の治療に役立つために、上記電場と、誘電率を変化させるための上記手段とは、集中され、神経組織に印加され得る、項目１に記載の器具。
（項目２８）
多発性硬化症、筋萎縮性側索硬化症、アルツハイマー病、失調、チック、脊髄損傷、外傷性脳損傷、薬物渇望、食品渇望、アルコール渇望、ニコチン渇望、吃音、耳鳴、痙性、パーキンソン病、パーキンソニズム、強迫観念、うつ病、精神分裂病、双極性障害、急性躁病、緊張病、心的外傷後ストレス障害、自閉症、慢性疼痛症候群、幻肢痛、てんかん、発作、聴覚性幻覚、運動障害、神経変性障害、疼痛性障害、代謝性障害、嗜癖障害、精神障害、外傷性神経損傷、および感覚障害から選択される病気の治療に役立つために、上記電場は、集中され、そして誘電率を変化させるための上記手段は、広範に印加され、神経組織に印加され得る、項目１に記載の器具。
（項目２９）
多発性硬化症、筋萎縮性側索硬化症、アルツハイマー病、失調、チック、脊髄損傷、外傷性脳損傷、薬物渇望、食品渇望、アルコール渇望、ニコチン渇望、吃音、耳鳴、痙性、パーキンソン病、パーキンソニズム、強迫観念、うつ病、精神分裂病、双極性障害、急性躁病、緊張病、心的外傷後ストレス障害、自閉症、慢性疼痛症候群、幻肢痛、てんかん、発作、聴覚性幻覚、運動障害、神経変性障害、疼痛性障害、代謝性障害、嗜癖障害、精神障害、外傷性神経損傷、および感覚障害から選択される病気の治療に役立つために、上記電場と、誘電率を変化させるための上記手段とは、広範に印加され、神経組織に印加され得る、項目１に記載の器具。
（項目３０）
背外側前頭前皮質、大脳基底核のいかなる構成要素、側坐核、腹部核、脳幹、視床、下丘、上丘、中脳水道周囲灰白質、一次運動野、補足運動野、後頭葉、ブロードマン領野１〜４８、一次感覚野、一次視覚野、一次聴覚野、へんとう体、海馬、蝸牛、脳神経、小脳、前頭葉、後頭葉、側頭葉、頭頂葉、皮質下構造、末梢神経、および脊髄から選択される脳または神経系内の１つの構造または複数の構造に対して、上記電場は広範に印加され、誘電率を変化させるための上記手段は、集中される、項目１に記載の器具。
（項目３１）
背外側前頭前皮質、大脳基底核のいかなる構成要素、側坐核、腹部核、脳幹、視床、下丘、上丘、中脳水道周囲灰白質、一次運動野、補足運動野、後頭葉、ブロードマン領野１〜４８、一次感覚野、一次視覚野、一次聴覚野、へんとう体、海馬、蝸牛、脳神経、小脳、前頭葉、後頭葉、側頭葉、頭頂葉、皮質下構造、末梢神経、および脊髄から選択される脳または神経系内の１つの構造または複数の構造に対して、上記電場と、誘電率を変化させるための上記手段とは集中する、項目１に記載の器具。
（項目３２）
背外側前頭前皮質、大脳基底核のいかなる構成要素、側坐核、腹部核、脳幹、視床、下丘、上丘、中脳水道周囲灰白質、一次運動野、補足運動野、後頭葉、ブロードマン領野１〜４８、一次感覚野、一次視覚野、一次聴覚野、へんとう体、海馬、蝸牛、脳神経、小脳、前頭葉、後頭葉、側頭葉、頭頂葉、皮質下構造、末梢神経、および脊髄から選択される脳または神経系内の１つの構造または複数の構造に対して、上記電場は、集中され、誘電率を変化させるための上記手段は、広範に印加される、項目１に記載の器具。
（項目３３）
背外側前頭前皮質、大脳基底核のいかなる構成要素、側坐核、腹部核、脳幹、視床、下丘、上丘、中脳水道周囲灰白質、一次運動野、補足運動野、後頭葉、ブロードマン領野１〜４８、一次感覚野、一次視覚野、一次聴覚野、へんとう体、海馬、蝸牛、脳神経、小脳、前頭葉、後頭葉、側頭葉、頭頂葉、皮質下構造、末梢神経、および脊髄から選択される神経系内の１つの構造または複数の構造に対して、上記電場と、誘電率を変化させるための上記手段とは、広範に印加される、項目１に記載の器具。
（項目３４）
感覚増強、感覚変化、麻酔導入および維持、脳マッピング、てんかんマッピング、術前計画、神経萎縮減少、神経プロテーゼの神経系との相互作用または制御、発作および外傷の神経リハビリテーション、膀胱制御、呼吸補助、心臓ペーシング、筋刺激、ならびに片頭痛、ニューロパシー、および下背部痛に起因するもの等の疼痛症候群、または慢性膵炎もしくは癌等の内臓疾病の治療から選択される処置を実行するために、神経組織に対して、上記電場は、広範に印加され、誘電率を変化させるための上記手段は、集中する、項目１に記載の器具。
（項目３５）
感覚増強、感覚変化、麻酔導入および維持、脳マッピング、てんかんマッピング、術前計画、神経萎縮減少、神経プロテーゼの神経系との相互作用または制御、発作および外傷の神経リハビリテーション、膀胱制御、呼吸補助、心臓ペーシング、筋刺激、ならびに片頭痛、ニューロパシー、および下背部痛に起因するもの等の疼痛症候群、または慢性膵炎もしくは癌等の内臓疾病の治療から選択される処置を実行するために、上記電場と、誘電率を変化させるための上記手段は、神経組織に集中される、項目１に記載の器具。
（項目３６）
感覚増強、感覚変化、麻酔導入および維持、脳マッピング、てんかんマッピング、術前計画、神経萎縮減少、神経プロテーゼの神経系との相互作用または制御、発作および外傷の神経リハビリテーション、膀胱制御、呼吸補助、心臓ペーシング、筋刺激、ならびに片頭痛、ニューロパシー、および下背部痛に起因するもの等の疼痛症候群、または慢性膵炎もしくは癌等の内臓疾病の治療から選択される処置を実行するために、神経組織に対して、上記電場は、集中され、誘電率を変化させるための上記手段は、広範に印加される、項目１に記載の器具。
（項目３７）
感覚増強、感覚変化、麻酔導入および維持、脳マッピング、てんかんマッピング、術前計画、神経萎縮減少、神経プロテーゼの神経系との相互作用または制御、発作および外傷の神経リハビリテーション、膀胱制御、呼吸補助、心臓ペーシング、筋刺激、ならびに片頭痛、ニューロパシー、および下背部痛に起因するもの等の疼痛症候群、または慢性膵炎もしくは癌等の内臓疾病の治療から選択される処置を実行するために、上記電場と、誘電率を変化させるための上記手段とは、神経組織に広範に印加される、項目１に記載の器具。
（項目３８）
生体組織を刺激するための方法であって、
生体組織の領域に電源を印加し、上記組織内に電場を生成するステップと、
上記電場に対する上記組織の誘電率を変化させるための手段を印加することによって、上記電源に対する上記組織の誘電率を変化させるステップであって、それによって、上記電源に対する上記組織の誘電率の変化は、上記組織内に変位電流を生成する、ステップと、を含む、方法。
（項目３９）
誘電率を変化させるための上記手段は、化学源、光源、機械源、熱源、または電磁波源から選択される、項目３８に記載の器具。
（項目４０）
組織の誘電率を変化させるステップは、組織の誘電率を機械で変化させるために、機械源を印加するステップを含む、項目３８に記載の方法。
（項目４１）
誘電率を変化させるための上記手段は、超音波源である、項目３８に記載の方法。
（項目４２）
上記組織は、神経組織である、項目３８に記載の方法。
（項目４３）
上記組織は、内分泌組織である、項目３８に記載の方法。
（項目４４）
上記組織は、電気的受容組織である、項目３８に記載の方法。
（項目４５）
上記組織は、筋肉組織である、項目３８に記載の方法。
（項目４６）
上記組織は、結合組織である、項目３８に記載の方法。
（項目４７）
上記組織は、骨格組織である、項目３８に記載の方法。
（項目４８）
上記方法は、上記組織の上記領域の理学療法のために適用される、項目３８に記載の方法。
（項目４９）
上記変位電流は、上記組織の上記領域内の血流を刺激する、項目３８に記載の方法。
（項目５０）
誘電率を変化させるための上記手段は、超音波源であり、上記組織の領域に超音波を印加する、項目３８に記載の方法。
（項目５１）
生体組織内に電流を生成するための器具であって、
組織領域にわたって電場を生成することが可能な電源であって、上記電源は、周囲組織の領域の外面に取り付けられる、少なくとも１つの電極である、電源と、
組織の小領域に集中される機械場を生成する超音波装置であって、それによって、上記電場と上記機械場との複合効果が、上記組織領域内に新しく生成された変位電流で、変化した電流を生成する、超音波装置と、
を備える、器具。
（項目５２）
生体組織を刺激するための方法であって、
生体組織の領域に電源を印加し、上記組織内に電場を生成するステップと、
上記電場に対する上記組織の誘電率を変化させる手段であって、それによって、変位電流が生成される、手段と、
上記電場に対する上記組織の伝導率を変化させる手段であって、それによって、オーム電流が変化する、手段と、
を含む、方法。
（項目５３）
生体組織内で電流を変化させるための器具であって、
組織領域にわたって電場を生成することが可能な電源と、
上記電場に対する上記組織の誘電率を変化させるための手段であって、それによって、変位電流が生成される、手段と、
上記電場に対する上記組織の伝導率を変化させるための手段であって、それによって、オーム電流が変化する、手段と、
を備える、器具。
（項目５４）
生体組織内に電流を生成するための器具であって、
組織領域にわたって電場を生成することが可能な電源と、
組織の小領域に集中する機械場を生成する超音波装置であって、それによって、上記電場と上記機械場との複合効果が、上記組織領域内に新しく生成された変位電流で、変化した電流を生成する、超音波装置と、
を備える、器具。
（項目５５）
生体組織で電流を変化させるための器具であって、
組織領域にわたって電場を生成することが可能な電源と、
上記電場に対する上記組織の電磁特性を変化させるための手段と、
を備える、器具。